(57)【要約】【課題】操作員にかかる情報伝達関連の負担を軽減して確実な情報伝達が可能となる監視システムを得る。【解決手段】監視画面に表示される監視対象としてのシンボルＴ１からなる複数の表示要素と、シンボルＴ１からなる表示要素に設備点検や連絡事項などの業務情報をコメントＴ３ａとして割り付けるコメント付加手段とを備え、シンボルＴ１からなる表示要素のいずれかを監視画面上で選択することにより当該表示要素に係るコメントＴ３ａを表示するコメント表示手段を設けた。【選択図】図１
2005141513.tif 000002
【特許請求の範囲】
【請求項１】
監視画面に表示される監視対象としての複数の表示要素と、前記表示要素に業務情報をコメントとして割り付けるコメント登録手段とを備え、前記表示要素のいずれかを監視画面上で選択することにより当該表示要素に係るコメントを表示するコメント表示手段を設けたことを特徴とする監視システム。
【請求項２】
コメントの登録者およびコメントの有効期限を登録できる登録手段を設けたことを特徴とする請求項１に記載の監視システム。
【請求項３】
コメントの有無に応じて前記表示要素の監視画面上における表示形態を区別するようにしたことを特徴とする請求項１または請求項２に記載の監視システム。
【請求項４】
有効期限の切れたコメントを消滅させるコメント消滅手段を設けたことを特徴とする請求項１から請求項３までのいずれかに記載の監視システム。
【請求項５】
コメント登録の履歴を表示するコメント履歴表示手段を設けたことを特徴とする請求項１から請求項４までのいずれかに記載の監視システム。
【発明の詳細な説明】
【技術分野】
【０００１】
この発明は、プラント監視装置などの監視システムに関するものである。
【背景技術】
【０００２】
従来のプラント監視装置では、機器の故障やガイダンスなどプラント運用に関する情報の関連付けが行なわれているが（例えば、特許文献１参照）、設備点検や連絡事項などの業務情報については画面への割り付けが無い。
【０００３】
【特許文献１】特開２０００−２２２０２８号公報（第４頁、図２）
【発明の開示】
【発明が解決しようとする課題】
【０００４】
解決しようとする問題点は、設備点検や連絡事項などの業務情報については口頭や書面により伝達されている点である。操作員が監視画面との２系統の情報を意識しないといけない負担と、口頭連絡の場合は情報伝達が漏れるリスクが存在する。
【０００５】
この発明は、操作員にかかる情報伝達関連の負担を軽減して確実な情報伝達が可能となる監視システムを得ようとするものである。
【課題を解決するための手段】
【０００６】
この発明に係る監視システムでは、監視画面に表示される監視対象としての複数の表示要素と、前記表示要素に業務情報をコメントとして割り付けるコメント付加手段とを備え、前記表示要素のいずれかを監視画面上で選択することにより当該表示要素に係るコメントを表示する。
【発明の効果】
【０００７】
この発明によれば、操作員にかかる情報伝達関連の負担を軽減して確実な情報伝達が可能となる監視システムを得ることができる。
【発明を実施するための最良の形態】
【０００８】
実施の形態１．
この発明による実施の形態１を図１から図４までについて説明する。図１は実施の形態１におけるコメント表示時の監視画面を示す正面図である。図２は実施の形態１におけるコメント追加／表示までのフローチャートである。図３はコメント追加選択時のイメージを示す正面図である。図４はコメント表示選択時のイメージを示す正面図である。
【０００９】
図１はコメント表示時の監視画面で、監視対象の機器を表すシンボルＴ１とシンボルＴ１に関するアラームやガイダンスなどの属性情報を確認するためのメインメニューＴ２とで構成される。
メインメニューＴ２には、アラーム項目およびガイダンス項目ならびにコメント項目Ｔ３が設けられている。コメント項目Ｔ３のクリック操作によりコメントが登録されていた場合、その内容を表示するコメント表示ウインドウＴ３ａが展開される。
コメント項目Ｔ３は、コメントの登録の有無により表示項目を変えるもので、コメントが登録されている場合にシンボルＴ１がクリック操作されメインメニューＴ２が表示されると、図１に示すように、コメント項目Ｔ３には「コメント表示」というタイトルが表示されて、「コメント表示」というタイトルが表示されたコメント項目Ｔ３をクリック操作すると、図１に示すようなコメントウインドウＴ３ａが展開され、コメント内容が表示される。
コメントが登録されていない場合にシンボルＴ１がクリック操作されメインメニューＴ２が表示されると、図３に示すように、コメント項目Ｔ３には「コメント追加」というタイトルが表示されて、「コメント追加」というタイトルが表示されたコメント項目Ｔ３をクリック操作すると、図３に示すようなコメントウインドウＴ３ｂが展開され、コメント登録が可能な状態となる。
【００１０】
ここで、メインメニューＴ２に設けられたコメント項目Ｔ３およびコメント表示ウインドウＴ３ａ、ならびに、メインメニューＴ２に設けられたコメント項目Ｔ３およびコメント表示ウインドウＴ３ａの表示制御を行い、コメントが登録されている場合にシンボルＴ１がクリック操作されると、コメント項目Ｔ３に「コメント表示」というタイトルを表示させ、「コメント表示」というタイトルが表示されたコメント項目Ｔ３がクリック操作されることにより、図１に示すようなコメント表示ウインドウＴ３ａを展開して、コメント内容を表示させるコメント表示制御回路（図示せず）はコメント表示手段を構成する。
また、メインメニューＴ２に設けられたコメント項目Ｔ３およびコメント登録ウインドウＴ３ｂ、ならびに、メインメニューＴ２に設けられたコメント項目Ｔ３およびコメントウインドウＴ３ｂの表示制御を行い、コメントが登録されていない場合にシンボルＴ１がクリック操作されると、コメント項目Ｔ３に「コメント追加」というタイトルを表示させ、「コメント追加」というタイトルが表示されたコメント項目Ｔ３がクリック操作されることにより、図１に示すようなコメントウインドウＴ３ｂを展開して、コメント登録を可能とするコメント登録制御回路（図示せず）はコメント登録手段を構成する。
【００１１】
次に、動作について説明する。シンボルＴ１のクリック操作からコメント表示までのフローは図２に示される。
監視画面上のシンボルＴ１をクリックする（ステップＳ１）と、属性情報を示すメインメニューＴ２が表示されるが、そのメニューにコメント項目Ｔ３を表示する。
このとき、コメント表示制御回路（図示せず）はコメント登録が済んでいるかどうかを判別し（ステップＳ２）、コメント登録が済んでいれば、メインメニューＴ２のコメント項目Ｔ３に「コメント表示」と表示させる（ステップＳ３）。「コメント表示」と表示されたコメント項目Ｔ３がクリック操作される（ステップＳ４）と、コメント表示ウインドウＴ３ａを展開して、コメント内容を表示させる（ステップＳ５）。
コメント登録が済んでいなければ、コメント登録制御回路（図示せず）により、メインメニューＴ２のコメント項目Ｔ３に「コメント追加」と表示させる（ステップＳ６）。「コメント追加」と表示されたコメント項目（Ｔ３）がクリック操作される（ステップＳ７）と、コメント登録ウインドウＴ３ｂを展開して、コメント登録を実行させる（ステップＳ８）。
【００１２】
また、図４のようにコメント追加ボタンＴ６を付加し、ボタンを押下することでコメントの追加も可能となる。
【００１３】
以上のように、この発明による実施の形態１では、業務情報を簡単にコメント登録できるようになる。また、プラント運用状態と関連機器の業務情報を並行して見ることができるので、操作員の負担が軽減できる。
【００１４】
この発明による実施の形態１によれば、監視画面に表示される監視対象としての被監視機器を示すシンボルＴ１からなる複数の表示要素と、前記表示要素に設備点検や連絡事項などの業務情報をコメント表示ウインドウＴ３ａに示されるコメントとして割り付けるコメント登録手段とを備え、前記シンボルＴ１からなる表示要素のいずれかを監視画面上で選択することにより示されるメインメニューＴ２のコメント表示項目Ｔ３を選択することにより展開される当該シンボルＴ１からなる表示要素に係るコメント表示ウインドウＴ３ａでコメントを表示するコメント表示制御回路（図示せず）からなるコメント表示手段を設けたので、操作員にかかる情報伝達関連の負担を軽減して確実な情報伝達が可能となる監視システムを得ることができる。
【００１５】
実施の形態２．
この発明による実施の形態２を図５および図６について説明する。図５は実施の形態２におけるコメント登録画面を示す正面図である。図６は実施の形態２におけるコメント表示画面を示す正面図である。
この実施の形態２において、ここで説明する特有の構成以外の構成については、先に説明した実施の形態１と同一の構成を具備し、同様の作用を奏するものである。図中、同一符号は同一または相当部分を示す。
【００１６】
図５のコメント登録画面で、登録者Ｔ７、有効期限Ｔ８、本文Ｔ９を入力して、画面右上の登録ボタンＴ１０を押してコメント登録を行なう。
登録を行った後は、コメント表示は図６のようになり、コメントが複数登録されている場合はスクロールボタンＴ１１にて切り替えが可能となる。
【００１７】
以上のように、この発明による実施の形態２では、操作員はコメント本文だけでなく、登録者、有効期限を見ることができる。また、コメントに有効期限を付加することで、情報のライフサイクルを把握することが可能となる。
【００１８】
この発明による実施の形態２によれば、実施の形態１における構成において、コメントの登録者およびコメントの有効期限を登録できる登録手段を設けたので、操作員にかかる情報伝達関連の負担を軽減して確実な情報伝達が可能となるとともに、コメントの登録者およびコメントの有効期限を容易に確認できる監視システムを得ることができる。
【００１９】
実施の形態３．
この発明による実施の形態３を図７について説明する。図７は実施の形態３におけるシンボルへのコメント追加マークを示す正面図である。
この実施の形態３において、ここで説明する特有の構成以外の構成については、先に説明した実施の形態１または実施の形態２と同一の構成を具備し、同様の作用を奏するものである。図中、同一符号は同一または相当部分を示す。
【００２０】
この発明による実施の形態３では、プラント監視画面上のシンボルにコメント有りをイメージさせるマークを付加する。
図７では、コメント有りのシンボルＴ１２には、吹き出しマークＴ１２ａを付加して、コメント無しのシンボルＴ１３との区別を行っている。
【００２１】
以上のように、この発明による実施の形態３では、プラント監視画面上でコメントの有無が一目で把握できるので、機器操作前にあらかじめコメントに目を通すことが可能となる。
【００２２】
この発明による実施の形態３によれば、実施の形態１または実施の形態２における構成において、コメント有りのシンボルＴ１２には吹き出しマークＴ１２ａを付加してコメント無しのシンボルＴ１３と区別し、コメントの有無に応じて前記シンボルＴ１２，Ｔ１３からなる表示要素の監視画面上における表示形態を区別するようにしたので、操作員にかかる情報伝達関連の負担を軽減して確実な情報伝達が可能となるとともに、プラント監視画面上でコメントの有無が一目で把握でき、機器操作前にあらかじめコメントに目を通すことが可能となる監視システムを得ることができる。
【００２３】
実施の形態４．
この発明による実施の形態４を図８について説明する。図８は実施の形態４における有効期限によりコメントを削除するフローチャートである。
この実施の形態３において、ここで説明する特有の構成以外の構成については、先に説明した実施の形態１から実施の形態３のいずれかと同一の構成を具備し、同様の作用を奏するものである。図中、同一符号は同一または相当部分を示す。
【００２４】
図８（ａ）は、実施の形態１におけるシンボルＴ１、あるいは、実施の形態３におけるシンボルＴ１２と同様のシンボルＴ１４について、有効期限によりコメントを削除するためのコメント更新制御回路（図示せず）の動作を示すフローチャートである。
監視画面で監視対象機器として表示されるシンボルＴ１４に付加されたコメントについて有効期限が経過しているかどうかが判別され（ステップＳ１１）、有効期限が経過している場合にはコメント状態を無しに変更するよう動作する（ステップＳ１２）。そして、描画更新要求を画面マネージャ回路に通知する（ステップＳ１３）。
コメントの有効期限が経過していない場合には一定期間待つことになる（ステップＳ１４）。
【００２５】
図８（ｂ）は、画面マネージャ回路の動作を示すフローチャートである。
画面マネージャ回路Ｔ１８は、シンボルＴ１４に係るコメント更新制御回路からの描画更新要求を受ける（ステップＳ１５）と、シンボルＴ１４についてコメントが有るか無いかを判別し（ステップＳ１６）、コメントが無ければ、実施の形態３におけるシンボルＴ１２に付加されたコメント付加マークＴ１２ａを外すように動作する（ステップＳ１７）。
【００２６】
以上のように、この発明による実施の形態４では、有効期限の過ぎたコメントが自動的に削除されるので、操作員は古い情報を見なくてもよく、手動でコメントの期限を見て外すような手間も省くことができる。
【００２７】
この発明による実施の形態４によれば、有効期限の切れたコメントを消滅させる図８に示すフローチャートに基づき動作するコメント更新制御回路（図示せず）および画面マネージャ回路Ｔ１８からなるコメント消滅手段を設けたので、操作員にかかる情報伝達関連の負担を更に軽減して確実かつ適切な情報伝達が可能となる監視システムを得ることができる。
【００２８】
実施の形態５．
この発明による実施の形態５を図９および図１０について説明する。図９は実施の形態５におけるコメント登録と履歴表示の関係を示すブロック図である。図１０はコメント履歴表示画面を示す正面図である。
この実施の形態５において、ここで説明する特有の構成以外の構成については、先に説明した実施の形態１から実施の形態４のいずれかと同一の構成を具備し、同様の作用を奏するものである。図中、同一符号は同一または相当部分を示す。
【００２９】
この発明による実施の形態５では、図９のようにコメント履歴データベースＴ２１を作成して、各シンボルへのコメント登録を保存する。一元管理された履歴はプラント監視画面上に追加したコメント履歴のボタンを押すことで、表示制御回路（図示せず）によりコメント履歴データベースＴ２１に保存したコメント履歴を読み出し、図１０に示すコメント履歴一覧Ｔ２２を監視画面に表示する。
【００３０】
以上のように、この発明による実施の形態５では、コメントの登録履歴から連絡事項の把握が簡単になり、業務日報の作成作業を支援することができる。
【００３１】
この発明による実施の形態５によれば、実施の形態１から実施の形態４までのいずれかの構成において、コメント登録の履歴を保存しコメント登録の履歴を表示するためのコメント履歴データベースＴ２１とコメント履歴データベースＴ２１に保存されたコメント履歴一覧Ｔ２２を監視画面に表示する表示制御回路（図示せず）とからなるコメント履歴表示手段を設けたので、操作員にかかる情報伝達関連の負担を軽減して確実な情報伝達が可能となるとともに、連絡事項の把握を容易に行える監視システムを得ることができる。
【００３２】
以上のように、この発明によれは、操作員にかかる負担の軽減と確実な情報伝達が可能となる。また、業務情報を電子化するので、情報の再利用による作業効率化やペーパーレスによる環境保全を可能とする。
【図面の簡単な説明】
【００３３】
【図１】この発明による実施の形態１におけるコメント表示時の監視画面を示す正面図である。
【図２】この発明による実施の形態１におけるコメント追加／表示までのフローチャートである。
【図３】この発明による実施の形態１におけるコメント追加選択時のイメージを示す正面図である。
【図４】この発明による実施の形態１におけるコメント表示選択時の画面イメージを示す正面図である。
【図５】この発明による実施の形態２におけるコメント登録画面を示す正面図である。
【図６】この発明による実施の形態２におけるコメント表示画面を示す正面図である。
【図７】この発明による実施の形態３におけるシンボルへのコメント追加マークを示す正面図である。
【図８】この発明による実施の形態４における有効期限によりコメントを削除するフローチャートである。
【図９】この発明による実施の形態５におけるコメント登録と履歴表示の関係を示すブロック図である。
【図１０】この発明による実施の形態５におけるコメント履歴表示画面を示す正面図である。
【符号の説明】
【００３４】
Ｔ１  シンボル、Ｔ２  メインメニュー、Ｔ３  コメント表示メニュー、Ｔ３ａ  コメント表示ウインドウ、Ｔ３ｂ  コメント登録ウインドウ、Ｔ６  コメント追加ボタン、Ｔ７  登録者、Ｔ８  有効期限、Ｔ９  コメント本文、Ｔ１０  コメント登録ボタン、Ｔ１１  スクロールボタン、Ｔ１２  シンボル、Ｔ１２ａ  吹き出しマーク、Ｔ１３  コメント無しシンボル、Ｔ１４  シンボル、Ｔ１８  画面マネージャ、Ｔ２１  コメント履歴データベース、Ｔ２２  コメント履歴一覧。
【図１】
2005141513.tif 000003
【図２】
2005141513.tif 000004
【図３】
2005141513.tif 000005
【図４】
2005141513.tif 000006
【図５】
2005141513.tif 000007
【図６】
2005141513.tif 000008
【図７】
2005141513.tif 000009
【図８】
2005141513.tif 000010
【図９】
2005141513.tif 000011
【図１０】
2005141513.tif 000012